(57)【要約】【課題】作業中の栽培畝上面から引抜きコンベアの先端部までの高さの状態が容易にオペレータに視認できる地下茎作物の収穫装置を提供する。【解決手段】地下茎作物の収穫装置において、引き抜きコンベア３前方端部には、植え付け畝上面部に当接して上下に揺動する検知アーム８０と、検知アーム８０に連動され検知アーム８０の移動量に比例して揺動する指示アーム８３を引き抜きコンベア３の上方部に位置させて設けた地下茎作物の収穫装置による。また、指示アーム８３の揺動端側には、目盛板８５が設けてあり、目盛板８５は作物植付け畝上面部から引き抜きコンベア３先端部までの高さ情報を表示しているとともに、トラクタに乗車したオペレータが目視確認できる方向に向けられている地下茎作物の収穫装置による。【選択図】      図６
2013034415.tif 000002
【特許請求の範囲】
【請求項１】
走行前方向から後上がりに斜設され地下茎作物の茎葉部を挟持して抜き取るとともに後方に搬送する引き抜きコンベアと、引き抜きコンベアの下方に設けられ、抜き取られた地下茎作物が搬送される途中において地下茎作物の球根部と茎葉部との間を切断して分離する切断部を有した地下茎作物の収穫装置であり、前記引き抜きコンベア前方端の前方に回動支点を有し、植え付け畝上面に当接して前記回動支点を中心として上下に揺動する検知アームと、該検知アームに連動して検知アームの回動量に比例して回動する指示アームを引き抜きコンベアの上方部に位置させて設けたことを特徴とする地下茎作物の収穫装置。
【請求項２】
検知アームは、前記引き抜きコンベア前方端の前方に回動支点を有し、回動支点側から後方側に延設されて畝上面に当接して回動するアームで構成され、アーム後端は、引き抜きコンベアの引き抜きベルト前方端より後方に位置することを特徴とする請求項１記載の地下茎作物の収穫装置。
【請求項３】
トラクタに装着される地下茎作物の収穫装置において、指示アームの回動端側には、目盛り板が設けてあり、該目盛り板は作物植付け畝上面部から引抜きコンベア先端部までの高さ情報を表示しているとともに、トラクタに乗車したオペレータが目視確認できる方向に向けられていることを特徴とする請求項１又は請求項２記載の地下茎作物の収穫装置。
【発明の詳細な説明】
【技術分野】
【０００１】
本発明は、引抜きコンベアで茎葉部を挟持してニンニク等の地下茎作物を抜き取って収穫する地下茎作物の収穫装置に関する。
【背景技術】
【０００２】
この種の掘り取り装置の従来技術として特開２００２−２０９４１７号公報（従来技術１）や特開２００８−４８６４２号公報（従来技術２）が開示されている。
【０００３】
従来技術１には、「乗用型の走行機体に、圃場に植生している根菜類の茎葉部を左右から挟持して引き抜き搬送する挟持搬送手段と、この挟持搬送手段に収穫条の根菜類の茎葉部を適正に挟持させるための前処理装置とを有する収穫機構を備えた根菜収穫機において、走行機体の運転操作部に搭乗したオペレータから目視可能な位置に、収穫機構の対地高さが適正か否かを判断させるための表示部材を備えた」根菜収穫機の開示がされている。
また、従来技術２には「後上がりに斜設され地下茎作物の茎葉を挟持して抜き取る引抜き搬送コンベア部と、該引抜き搬送コンベア始端部近傍に設けられ地下茎作物の下方部を通過させ周辺の土を膨軟にするとともに根の一部を切断する根切刃と、前記引抜き搬送コンベアの搬送途中において地下茎作物の茎葉部を切断する切断部とを備えた収穫装置において、前記切断部下方に土振るい機能を有する土振るい搬送コンベアを設けた」地下茎作物の収穫装置の開示がされている。
【先行技術文献】
【特許文献】
【０００４】
【特許文献１】特開２００２−２０９４１７号公報（従来技術１）
【特許文献２】特開２００８−０４８６４２号公報（従来技術２）
【発明の概要】
【発明が解決しようとする課題】
【０００５】
一般的に地下茎作物の収穫装置は、一つの畝を一方向に走行（往路）しながら収穫し、次に隣接する畝を戻り走行（復路）しながら往復し、順次これらを連続して繰り返すことで地下茎作物の収穫を行っていた。また、マルチフイルムで被覆された畝で栽培された地下茎作物を収穫する場合、引き抜きコンベアの先端をマルチフイルムに接触させて引っかけてしまいコンベアに巻き込んで作業が中断するなどの不都合が発生するため、先端部を適正な高さに調整する必要がある。そのため、従来技術１では、オペレータから目視可能な位置に、収穫機構の対地高さが適正か否かを判断させるための表示部材を備えているが、表示部材は、進行方向と直交する左右方向軸芯回りで回転するローラ６５で、前処理装置部にこれを設け、これの状態を運転席から目視により確認するものである。しかし、運転席から離れた位置となっていて目視がしにくく、側方からの確認が必要であり、茎葉部が妨げとなり確認が不確実となる問題がある。
【０００６】
従来技術２の場合、作業中の引抜き搬送コンベア４の前方端部は作物の茎葉に覆われた状態となっていて、トラクタに乗車したオペレータからは容易に確認しにくいため、対地高さが適正なのか判断しにくいという問題がある。
【０００７】
このため本発明の目的は、作業中の栽培畝上面から引抜きコンベアの先端部までの高さの状態が容易にオペレータに視認できる地下茎作物の収穫装置を提供することにある。
【課題を解決するための手段】
【０００８】
上記課題を解決するために、走行前方向から後上がりに斜設され地下茎作物の茎葉部を挟持して抜き取るとともに後方に搬送する引き抜きコンベアと、引き抜きコンベアの下方に設けられ、抜き取られた地下茎作物が搬送される途中において地下茎作物の球根部と茎葉部との間を切断して分離する切断部を有した地下茎作物の収穫装置であり、前記引き抜きコンベア前方端の前方に回動支点を有し、植え付け畝上面に当接して前記回動支点を中心として上下に揺動する検知アームと、該検知アームに連動して検知アームの回動量に比例して回動する指示アームを引き抜きコンベアの上方部に位置させて設けたことを特徴とする地下茎作物の収穫装置を提案する。
【０００９】
また、検知アームは、前記引き抜きコンベア前方端の前方に回動支点を有し、回動支点側から後方側に延設されて畝上面に当接して回動するアームで構成され、アーム後端は、引き抜きコンベアの引き抜きベルト前方端より後方に位置することを特徴とする０００８欄記載の地下茎作物の収穫装置を提案する。
【００１０】
さらに、トラクタに装着される地下茎作物の収穫装置において、指示アームの回動端側には、目盛り板が設けてあり、該目盛り板は作物植付け畝上面部から引抜きコンベア先端部までの高さ情報を表示しているとともに、トラクタに乗車したオペレータが目視確認できる方向に向けられていることを特徴とする０００８欄０００９欄記載の地下茎作物の収穫装置を提案する。
【発明の効果】
【００１１】
この発明によれば、地下茎作物の茎葉等が繁茂した状態でも、指示アームの指示位置によって引き抜きコンベア前方端部の畝上面からの高さ状態を容易にトラクタに乗車した作業者が確認できるため、作業中にマルチフイルムに接触させて引っかけてしまいコンベアに巻き込んで作業が中断するなどの不具合が発生することがなく、効率よい作業が可能となる。また、指示アームの揺動端側に目盛り板を設けたことにより、作物植付け畝上面部から引き抜きコンベア先端部までの高さ情報を正確に把握することができ、挟持位置の調整が正確に容易にできる。
【図面の簡単な説明】
【００１２】
【図１】本発明の地下茎作物の収穫装置をトラクタに装着した作業状態の側面図。
【図２】本発明の地下茎作物の収穫装置の掘上状態を示した要部側面図。
【図３】本発明の地下茎作物の収穫装置の右上面からの斜視図。
【図４】検知部の要部側面図。
【図５】検知部の要部側面図。
【図６】検知部の右上面からの斜視図。
【図７】ローラ部の要部平面図。
【図８】地下茎作物の収穫装置の駆動系統図。
【発明を実施するための形態】
【００１３】
以下、本発明の実施例をトラクタに装着して使用される地下茎作物の収穫装置の一例を以下の図面に基づいて説明する。図１は本発明の地下茎作物の収穫装置をトラクタに装着した作業状態の側面図、図２は地下茎作物の収穫装置の掘上状態を示した要部側面図、図３は本発明の一例を示した地下茎作物の収穫装置の右上面からの斜視図、図４は引き抜きコンベア先端部の地上からの高さを検知する検知部の要部側面図、図５は同じく引き抜きコンベア先端部が畝面に接近した時の検知部の要部側面図、図６は検知部の右上面からの斜視図。図７はローラ部の要部平面図、図８は地下茎作物の収穫装置の駆動系統図を示したものである。
【００１４】
この発明の実施形態である地下茎作物の収穫装置は、トラクタ１などの走行装置に装着して進行しながらニンニク等の地下茎作物を収穫する。この発明の実施形態である地下茎作物の収穫装置は、地下茎作物Ｃが栽培されている畝Ｒの両側の２つの畝間の地面Ｇをそり状のシュー７５によって走行しつつ、走行方向と直角方向に設けられる根切り部２によって畝の土中に栽培されているニンニク等の地下茎作物Ｃの球根部Ｂを掘り起こすとともに、複数列、この実施例では４列の引き抜きコンベア３によって地下茎作物の茎葉部Ｌを挟持して抜き取り、後方に搬送する。
【００１５】
機枠７前方部のマストフレーム７７およびロアリンクピン７２は、トラクタ１の３点リンクに連結するためのものであり、マストフレーム７７前方端をトップリンクピン７３でトラクタ１のトップリンク１０に、ロアリンクピン７２はトラクタ１のロアリンク１１に連結される。７１は入力軸で、図示していないがトラクタＰＴＯ軸とユニバーサルジョイント１２にて連結され、入力ケース７０に動力が伝動される。ロアリンクピン７２は、機枠７に対して進行方向と直行する左右方向にスライド可能に設けてあり、機枠７とロアリンクピン７２とにそれぞれ端部を連結したシリンダ７４の伸縮により、トラクタ１に装着した状態で、機枠７を左右に移動させることができる。すなわち機枠７に固定された引き抜きコンベア３を左右に移動可能である。
【００１６】
２１は根切りフレームで、機枠７に対し回動自在に軸支され、入力ケース７０前方の入力軸７１に設けたクランク部７１０と連結される。クランク部７１０の偏心部により、根切りフレーム２１を前後に揺動振動させ、根切りフレーム２１に固定される根切刃２０も同時に前後に揺動振動させる。根切刃２０は引き抜きコンベア３前方端下方部に位置し、進行方向と直行する方向に掛け渡され、地下茎作物の下方部を通過して根を切断するとともに、土壌を膨軟にして作物を浮き上がらせ抜き取りやすくするものである。
【００１７】
それぞれ１列の引き抜きコンベア３は、走行前方向から後上がりに斜設される２つの引抜きベルト３０をベルト面を垂直方向に位置させてほぼ接して対面させてなり、前端部は畝面Ｒ近傍の高さに位置し、２つのベルト間の前端部で地下茎作物Ｃの茎葉部Ｌを挟持して抜き取るとともに後方に搬送する。それぞれの引き抜きコンベア３の中間位置の下方に球根部Ｂの根の土落としを行う土落し部３３を設ける。土落し部３３は、進行方向と直交する水平回転軸にギヤ状の板状体であるスターホイール３３０を軸方向に複数設け回転させて球根部Ｂの根の土落しを行う。
【００１８】
土落し部３３の流れの下流側となるそれぞれの引き抜きコンベア３の後方位置の下方に、それぞれ切断部４を設ける。１つの切断部４は円盤状カッタ４０からなり、抜き取られた地下茎作物Ｃが引き抜きコンベア３によって搬送される途中において地下茎作物Ｃの球根部Ｂと茎葉部Ｌとの間を切断して分離する。
【００１９】
切断部４によって切断され分離された地下茎作物Ｃの球根部Ｂは自然落下して切断部４の下方に設けられた上面が開放されている箱状の球根収容部５に収納される。球根収容部５は、収容部であるバケット５０がバケット５０上方に設けた進行方向と直行する水平軸の回動支点５１を中心に後方に回動可能で、回動することによりバケット５０前方側からバケット５０内に収容された球根をまとめて排出することができる。
【００２０】
一方、切断部４によって切断され分離された地下茎作物Ｃの茎葉部Ｌは、引き抜きコンベア３の後方端上方に位置する茎葉部排出コンベア６に挟持されて、より後方に搬送され、終端部の下方に位置する茎葉部排出シュート６１に落下する。
【００２１】
茎葉部排出コンベア６は、引き抜きコンベア３と同様複数列、この実施例では４列設けられている。各茎葉部排出コンベア６は、前端部が引き抜きコンベア３の後方のコンベア駆動プーリ３１と同軸で位置し、 引き抜きコンベア３の上方で引き抜きコンベア３と平行に設けられており、その終端部は引き抜きコンベア３の終端部から更に後方に延設されており、茎葉部の排出シュート６１の上方に位置している。
【００２２】
１列の茎葉部排出コンベア６は、前方向から後上がりに引き抜きコンベア３と平行に斜設され互いの茎葉排出ベルト６０面を垂直方向に位置させてほぼ接して相対させてなる２つの茎葉排出ベルト６０からなり、前端側を引き抜きコンベア３の後方駆動軸３４に固着させた駆動プーリ６２とその後方に位置する従動プーリ６３にそれぞれ茎葉排出ベルト６０を巻架させ、後端部は、走行方向左右方向に斜めに回動させ固定して位置される。茎葉部排出コンベア６の後方下方部には、排出された茎葉を畝の左右に誘導して落下させる排出シュート６１が設けられていて、排出シュート６１は、樋状部材からなるとともに畝幅方向略中央部から左右端を下にして傾斜して設けられていて、後方視逆Ｖ字状に設けてある。これにより、落下した茎葉は排出シュート６１に誘導されて、左右の畝と畝の間の畝間に落下する。畝上のマルチフイルムには茎葉が落下しないため、後工程のマルチフイルムの回収作業を効率よく行うことができる。
【００２３】
引き抜きコンベア３の前方側左右には、マルチフイルムを押えるサイドマルチフイルム押さえ７６が設けてあり、サイドマルチフイルム押さえ７６は、側面視において引き抜きコンベア３の前方部から前記球根収容部５のバケット５０前方端近傍まで、前方及び後方端部を上方に湾曲させ水平に設けられ、丸棒又はパイプで構成されている。サイドマルチフイルム押さえ７６は、機枠７に対し前後の平行リンクで保持されて上下に移動可能に設けられていて、作業時に畝のマルチフイルムの左右端部を押えて、地下茎作物の引き抜きによるマルチフイルムの浮き上がりを抑制する。
【００２４】
引き抜きコンベア３の下方位置の前方端より後方であり、球根収容部５のバケット５０前方部に、進行方向と直行する水平方向に回転軸を有する円筒状のローラ９０で構成されたローラ部９が設けられている。ローラ９０は、機枠に対し固定され、畝上面に接しない位置に設けられ、モータ９１により前進方向に回転駆動される。
【００２５】
図７はローラ部９の要部を示した平面図で、ローラ９０は、左右に分割されて設けられていて、中央部に駆動用のモータ９１を設け、左右端を機枠７にベアリング９３を介して保持されている。左右のローラ９０の中央部には、機枠７に保持されたモータケース９８が設けられ、モータケース９８内のモータ９１に固着された駆動スプロケット９４と、左右のローラ９０の中間部のローラシャフト９７に固着された従動スプロケット９５にローラチェーン９６が巻架され、モータ９１を駆動することで、ローラ９０が回転駆動する。作業時は、地下茎作物の引き抜きにより浮き上がったマルチフイルムをローラ９０で押さえ込むとともに、進行方向に回転駆動することにより、上方の引き抜きコンベア３側から引き離すように後方に送り出す。ローラ９０は、本例では左右に２分割してあるが、分割せず一体でも良く、また、２分割以上に分割されていても良い。
【００２６】
一方、モータ９１の出力軸をモータケース９８の外に突設させ、端部に円板状のマルチフイルムカッター９２を固着していて、作業時はこれを回転させて畝上のマルチフイルムを畝中央部で進行方向に切断して行く。マルチフイルムを中央部で切断することで、マルチフイルムを回収する際に、土に埋まっている裾部分を引上げる作業が片方に引くだけでよく、効率よく回収することができる。切断しない場合は、マルチフイルムカッター９２を外して作業を行う。
【００２７】
機枠７側から左右下方に延設したシューフレームが設けられ、下端にはシュー７５が圃場面に平行に接するように角度調整可能に配設されている。シュー７５は作物抜取位置を安定させるためのもので、作物植付畝間溝部位置の左右に配置されている。
【００２８】
本例の地下茎作物の収穫装置は、前方部をトラクタ１の後方部の３点リンク機構に連結されて、３点リンク機構を昇降させることにより上下に昇降される。前記シュー７５が地面に付いた状態で、３点リンク機構をさらに昇降させることによりシュー７５を支点として前方部を上下に回動することができる。これにより、引き抜きコンベア３の前方端を上下に調整する。この調整により作物の上下挟持位置が調整され、適正な引き抜きが行われる。その際に、畝面Ｒと引き抜きコンベア３前方端との距離を表示する検知部８が引き抜きコンベア３前方部に設けられている。
【００２９】
検知部８は、畝面Ｒに当接して上下に回動する検知アーム８０と引き抜きコンベア３上方部のトラクタ１に乗車する作業者から目視確認できる位置に設けた指示アーム８３と目盛り板８５及び検知アーム８０と指示アーム８３とを連結している連結ロッド８２で構成されている。引き抜きコンベア３の上面部前方端の引き抜きベルト３０端部より前方に進行方向と直交する水平方向の回動支点８１を有し、この回動支点８１を中心に上下に回動する検知アームボス８００の回動支点８１より前方側から丸棒で成形された検知アーム８０が下方斜め後方に直線状に延設され、さらに畝面Ｒ近傍から円弧状に湾曲して上方に向って設けられている。湾曲部が畝面Ｒと当接して検知アーム８０は回動支点８１を中心に上下に回動する。一方、検知アームボス８００の回動支点８１の後方側に進行方向と直行する水平方向の連結軸８０１を設け、これに上下回動自在に連結ロッド８２の一端を連結して上方部に設けた指示アーム８３と他端部を回動自在に連結している。指示アーム８３は、引き抜きコンベア３の上方部に位置して機枠７に設けた進行方向と直交する水平軸に前後方向回動自在に取り付けられていて、指示アーム回動支点８４を中心に一方端が連結ロッド８２と連結され、他方端が上方部に位置する目盛り板８５のガイドに沿って回動する。目盛り板８５は、検知アーム８０が回動することにより、引き抜きベルト３０先端部と畝面Ｒとの距離を相対的に表したもので、指示アーム８３の先端部が示す目盛りが引き抜きベルト３０先端部と畝面Ｒとの距離を示す。
【００３０】
検知アーム８０が植え付け畝面Ｒに当接して前記回動支点８１を中心として上下に回動すると、検知アーム８０の検知アームボス８００が回動し、連結ロッド８２を上下に往復動させる。そして、指示アーム８３を前後に回動させ、先端部が示す目盛りが引き抜きベルト３０先端部と畝面Ｒとの距離を示す。
【００３１】
図８は本発明の地下茎作物の収穫装置のローラ部９を除く動力系統図であり、これに基づいて動力の伝達経路を説明する。トラクタ１より入力軸７１に入力された動力の一部は、入力ケース７０に入力され、内装されたベベルギヤにより進行方向と直交する方向の出力軸に伝達され、側方のチェーンケース内のスプロケットを駆動する。スプロケットは２列になっていて、一方が土落し部３３の駆動として使用され、他方が引き抜きコンベア３及び茎葉部排出コンベア６の駆動として使用される。土落し部３３の駆動は、２箇所のチェーンケースを経由して減速され、土落し部３３のスターホイール３３０を回転させる。引き抜きコンベア３及び茎葉部排出コンベア６の駆動は、チェーンケースを２つ連結して後方に延出させ、内装のスプロケットで減速して、チェーンケース後端のベベルケースに伝達される。ベベルケースにより回転軸の方向を引き抜きコンベア３の回転軸と平行にする。ベベルケースから出力された動力は、引き抜きコンベア３の引き抜きベルト３０が巻架される後方端部の駆動プーリ３１が固着された駆動軸３４にスプロケットを介してローラチェーンで伝達される。駆動軸３４は引き抜きベルト３０と同数設けられていて、駆動軸３４はローラチェーンでそれぞれ連結され同速度で駆動され、引き抜きコンベア３の前方部の従動プーリ３２と駆動プーリ３１間に巻架された引き抜きベルト３０をそれぞれ回転させる。
【００３２】
また、駆動軸３４の引き抜きコンベア駆動プーリ３１の上方部に、茎葉部排出コンベア６の駆動プーリ６２が固着されていて、その後方に設けた従動プーリ６３とに茎葉排出ベルト６０を巻架させて茎葉部排出コンベア６は駆動される。茎葉部排出コンベア６は引き抜きコンベア３と同じ数設けられる。
【００３３】
次に、この発明の実施形態である地下茎作物の収穫装置の作用について説明する。この発明の実施形態である地下茎作物の収穫装置は、トラクタなどの走行装置に装着して走行しながらニンニク等の地下茎作物を収穫する。
【００３４】
この発明の実施形態である地下茎作物の収穫装置は、地下茎作物Ｃが栽培されている畝Ｒの両側の２つの畝間の地面Ｇをそり状のシュー７５によって走行しつつ、根切り部２の根切り刃２０を畝の土中に栽培されているニンニク等の地下茎作物Ｃの球根部Ｂの下方を通過させるとともに、４列の引き抜きコンベア３によって地下茎作物Ｃの茎葉部Ｌを挟持して抜き取り、後方に搬送する。この際、引き抜きコンベア３の先端部は地下茎作物Ｃの茎葉部で覆われ、トラクタに乗車した作業者からは先端部が確認し難い状況となるが、検知部８の目盛板８５を指している指示アーム８３の位置で引き抜きベルト３０先端部の畝面Ｇからの高さを確認できる。
【００３５】
それぞれの引き抜きコンベア３によって搬送されてくる地下茎作物Ｃは、切断部４によって球根部Ｂと茎葉部Ｌとの間を切断して分離する。分離された球根部Ｂは、自然落下して球根収容部５に収納され収穫される。
【００３６】
切断部４によって切断され分離された地下茎作物Ｃの茎葉部Ｌは、引き抜きコンベア３の上方に位置する茎葉部排出コンベア６に挟持されて、より後方に搬送され、茎葉部排出コンベア６の後端部から下方に落下して茎葉排出シュート６１により案内され畝の左右部の畝間Ｇへ落下する。
【００３７】
引き抜きコンベア３の前方側左右には、マルチフイルムを押えるサイドマルチフイルム押さえ７６が設けてあり、作業時に畝のマルチフイルムの左右端部を押えて、地下茎作物の引き抜きによるマルチフイルムの浮き上がりを抑制する。
【００３８】
引き抜きコンベア３の下方位置の前方端より後方であり、球根収容部５のバケット５０前方部に、円筒状のローラ９０で構成されたローラ部９が設けられている。ローラ９０は、機枠に対し固定され、畝上面に接しない位置に設けられ、モータ９１により前進方向に回転駆動され、地下茎作物の引き抜きにより浮き上がったマルチフイルムをローラ９０で押さえ込むとともに、進行方向に回転駆動することにより、上方の引き抜きコンベア３側から引き離すように後方に送り出す。これにより、マルチフイルムが引き抜きコンベア３などの可動部に巻き込まれて作業が中断することがなく効率よい作業が可能となる。
【産業上の利用可能性】
【００３９】
この発明は、走行機であるトラクタの後方に装着されて使用される地下茎作物の収穫機に利用できる。
【符号の説明】
【００４０】
１  トラクタ
１０  トップリンク
１１  ロアリンク
１２  ユニバーサルジョイント
２  根切り部
２０  根切り刃
２１  根切りフレーム
３  引き抜きコンベア
３０  引き抜きベルト
３１  駆動プーリ
３２  従動プーリ
３３  土落し部
３３０  スターホイール
３４  駆動軸
４  切断部
４０  カッタ
５  球根収容部
５０  バケット
５１  回動支点
６  茎葉部排出コンベア
６０  茎葉排出ベルト
６１  排出シュート
６２  駆動プーリ
６３  従動プーリ
７  機枠
７０  入力ケース
７１  入力軸
７１０  クランク部
７２  ロアリンクピン
７３  トップリンクピン
７４  シリンダ
７５  シュー
７６  サイドマルチフイルム押さえ
７７  マストフレーム
８  検知部
８０  検知アーム
８００  検知アームボス
８０１  連結軸
８１  回動支点
８２  連結ロッド
８３  指示アーム
８４  指持アーム回動支点
８５  目盛板
９  ローラ部
９０  ローラ
９１  モータ
９２  マルチフイルムカッター
９３  ベアリング
９４  駆動スプロケット
９５  従動スプロケット
９６  ローラチェーン
９７  ローラシャフト
９８  モータケース
Ｃ  地下茎作物
Ｌ  地下茎作物の茎葉部
Ｂ  地下茎作物の球根部
Ｇ  地面
Ｒ  畝面
【図１】
2013034415.tif 000003
【図２】
2013034415.tif 000004
【図３】
2013034415.tif 000005
【図４】
2013034415.tif 000006
【図５】
2013034415.tif 000007
【図６】
2013034415.tif 000008
【図７】
2013034415.tif 000009
【図８】
2013034415.tif 000010